(57)【要約】【課題】ボールをヒットしたときにフェース部が撓み易く、ボール反発性能に優れるアイアン型ゴルフクラブヘッドを提供する。【解決手段】フェース部２、ソール部４、ホゼル部３、キャビティ部５を有するアイアンヘッド１。キャビティ部５のフェース面側の内面の下部は、フェース面に向って凹陥する前向き凹所となっており、該キャビティ部５のフェース面側の内面の下部とフェース面との交角をθ２とし、キャビティ部５の後面とフェース面との交角をθ３とし、キャビティ部５の底面とフェース面との交角をθ１とした場合に、θ２≦θ３、θ２≦θ１である。【選択図】図１
2015019746.tif 000002
【特許請求の範囲】
【請求項１】
フェース部、ソール部、ホゼル部、キャビティ部を有するアイアン型ゴルフクラブヘッドにおいて、キャビティ部のフェース面側の内面の下部は、フェース面に向って凹陥する前向き凹所となっており、該キャビティ部のフェース面側の内面の下部とフェース面との交角をθ２とし、キャビティ部の後面とフェース面との交角をθ３とし、キャビティ部の底面とフェース面との交角をθ１とした場合に、θ２≦θ３、θ２≦θ１であることを特徴とするアイアン型ゴルフクラブヘッド。
【請求項２】
請求項１において、前記フェース部の中央部の厚みをｔ１とし、そのトップ側の前記中央部よりも高位の高段部の厚みをｔ２とした場合に、ｔ２≧ｔ１であることを特徴とするアイアン型ゴルフクラブヘッド。
【請求項３】
請求項１又は２において、前記前向き凹所におけるフェース部の厚さが最も小さい部分のフェース部の厚さをｔ３とした場合、ｔ３／ｔ１が０．５以上、０．９以下であることを特徴とするアイアン型ゴルフクラブヘッド。
【請求項４】
請求項１ないし３のいずれか１項において、前記前向き凹所と前記キャビティ部の底面との交差隅部は凹曲面となっており、アイアン型ゴルフクラブヘッドの前後方向の鉛直断面における該凹曲面の曲率半径が０．５〜３．０ｍｍであることを特徴とするアイアン型ゴルフクラブヘッド。
【発明の詳細な説明】
【技術分野】
【０００１】
本発明は、アイアン型ゴルフクラブヘッドに係り、詳しくは、キャビティ部のフェース面側の内面の下部にフェース面に向って凹陥する前向き凹所を有するアイアン型ゴルフクラブヘッドに関するものである。
【背景技術】
【０００２】
アイアン型ゴルフクラブとしては、フェアウェー、ラフ、バンカーなどからのショットや、ショートホール（パー３のホール）のティーショット等に主として用いられるアイアンクラブのほか、アイアンヘッドに近似した形状のヘッドを有したユーティリティクラブが用いられている。
【０００３】
アイアンのヘッドとしては、ステンレススチール、炭素鋼、各種合金などでフェース部からホゼル部まで形成したものが広く用いられている。
【０００４】
アイアンのヘッドは、ボールをヒットするためのフェース面と、地面に対面するソール面とを有する。ヘッドのヒール側にホゼル部が設けられ、このホゼル部にシャフトが挿入され、接着剤などの固着手段によって固着される。
【０００５】
ヘッドのソール側を後方に突出させた形状の張出部を有するアイアン型ゴルフクラブヘッドは、ヘッドの重心が低く、また重心のフェース面からの距離（重心深度）が大きい。このような張出部を有するアイアン型ゴルフクラブヘッドは、非力なプレーヤーに好まれる傾向がある。
【０００６】
特許文献１，２には、ソール部上面とフェース部背面との交差隅部に、フェース面側に凹陥した凹所を有するアイアンヘッドが記載されている。
【先行技術文献】
【特許文献】
【０００７】
【特許文献１】特開２００３−６２１３４
【特許文献２】米国特許公開２００４／００９２３３１
【特許文献３】特開２００６−３０５１７０
【特許文献４】特開２００９−５６０６０
【特許文献５】特開２００９−８２２９１
【発明の概要】
【発明が解決しようとする課題】
【０００８】
特許文献１のアイアンヘッドは、フェース部背面の中央付近を厚肉部としたものであり、フェース部背面とソール部上面との交差隅部を薄肉とするものではない。特許文献２は、ポリマー材を入れる凹所が設けられている。
【０００９】
本発明は、ボールをヒットしたときにフェース部が撓み易く、ボール反発性能に優れると共に生産性に優れたアイアン型ゴルフクラブヘッドを提供することを目的とする。
【課題を解決するための手段】
【００１０】
本発明のアイアン型ゴルフクラブヘッドは、フェース部、ソール部、ホゼル部、キャビティ部を有するアイアン型ゴルフクラブヘッドにおいて、キャビティ部のフェース面側の内面の下部は、フェース面に向って凹陥する前向き凹所となっており、該キャビティ部のフェース面側の内面の下部とフェース面との交角をθ２とし、キャビティ部の後面とフェース面との交角をθ３とし、キャビティ部の底面とフェース面との交角をθ１とした場合に、θ２≦θ３、θ２≦θ１であることを特徴とするものである。
【００１１】
本発明の一態様では、前記フェース部中央部の厚みをｔ１とし、そのトップ側の厚みをｔ２とした場合に、ｔ２≧ｔ１であることが好ましい。
【００１２】
前記前向き凹所におけるフェース部の厚さが最も小さい部分のフェース部の厚さをｔ３とした場合、ｔ３／ｔ１が０．５以上、０．９以下であることが好ましい。
【００１３】
前記前向き凹所と前記キャビティ部の底面との交差隅部は凹曲面となっており、アイアン型ゴルフクラブヘッドの前後方向の鉛直断面における該凹曲面の曲率半径が０．５〜３．０ｍｍであることが好ましい。
【発明の効果】
【００１４】
本発明のアイアン型ゴルフクラブヘッドにおいては、フェース部の背面側にキャビティ部が設けられ、このキャビティ部のフェース面側の内面の下部に、フェース面に向って凹陥する前向き凹所が設けられているので、ボールをヒットしたときのフェース部の撓みが大きく、ボールの初速が大きくなり、飛距離が増大する。
【図面の簡単な説明】
【００１５】
【図１】実施の形態に係るアイアン型ゴルフクラブヘッドの背面図である。
【図２】図１のII−II線断面図である。
【図３】図１のII−II線端面図である。
【発明を実施するための形態】
【００１６】
図１〜３を参照して実施の形態について説明する。
【００１７】
このアイアンヘッド１は、フェース部２と、フェース部２のヒール側に連なるホゼル部３と、フェース部２の下部に連なるソール部４とを有している。ホゼル部３にはシャフトを差し込むためのホゼル穴（図示略）が設けられている。フェース部２の前面がフェース面２ｆであり、多数のスコアライン（溝、図示略）が設けられている。
【００１８】
フェース部２の背面の周縁部のうちトウ側、トップ側及びヒール側は、凸部２ａとなっている。フェース部中央付近の背面がバック面２ｂとなっている。バック面２ｂの周縁と凸部２ａとの間は、バック面２ｂよりも高位の高段部２ｃとなっている。この高段部２ｃにおけるフェース部厚みはフェース部中央部の厚み以上である。ここでフェース部中央部とは、フェース面２ｆにおける中央部の事である。
【００１９】
ソール部４は、アイアンヘッド１のトウ側からヒール側まで延在している。ソール部４の底面がソール面４ｓである。
【００２０】
フェース部の背面側にはキャビティ部が設けられている。キャビティ部はトウ側からヒール側にまで延在しており、ソール部と、凸部２ａとによって周囲が囲まれている。
【００２１】
キャビティ部の内面のうちフェース部２側の面は、バック面２ｂに連なり、下方ほどフェース面に近づく前面１２からなる。キャビティ部の内面のうち後面１３は、ソール部４の上面から立ち下がり、下方ほどフェース面に近づくように傾斜している。キャビティ部の底面１４は、該後面１３に連なり、フェース面に向って延在している。この底面１４は、前方ほどソール面４ｓに近づくように傾斜している。底面１４と前面１２との交差隅部は丸みを帯びた凹曲面１５となっている。前面１２と、それに連なる凹曲面１５の前部とによって前向き凹所が構成される。
【００２２】
前向き凹所のトウ・ヒール方向の長さは、下限として２０ｍｍ以上、好ましくは３０ｍｍ以上である。この長さが２０ｍｍよりも小さいと、ボールヒット時にフェース部２が十分に撓まないおそれがある。上限としては、７０ｍｍ以下、好ましくは６０ｍｍ以下である。７０ｍｍを超えると、ヘッド１の耐久性が低下するおそれがある。
【００２３】
前面１２は、前述の通り、下方ほどフェース面２ｆに近接している。図３はフェース面を前方側から見た状態を正面図とした場合における右側側面図である。図３の通り、前面１２とフェース面２ｆとの交角θ２は下限として、５°以上、好ましくは１０°以上である。θ２が５°よりも小さいと、ボールヒット時にフェース部２が十分に撓まないおそれがある。上限としては、３０°以下、好ましくは２５°以下である。θ２が３０°よりも大きいと、耐久性が低下するおそれがある。
【００２４】
後面１３とフェース面２ｆとの交角θ３は、θ２≦θ３に設定する。θ３は上限として、８０°以下、好ましくは４０°以下である。
底面１４とフェース面２ｆとの交角θ１は、θ２≦θ１に設定する。θ１は上限として、９０°以下、好ましくは７５°以下である。θ１が９０°よりも大きいと、ヘッド１の耐久性が低下するおそれがある。
【００２５】
凹曲面１５の曲率半径ｒは０．５〜３．０ｍｍ特に０．７〜２．５ｍｍであることが好ましい。ｒが０．５ｍｍよりも小さいとヘッド１の耐久性が低下するおそれがある。ｒが３．０ｍｍよりも大きいと、ソール側の肉厚が小さくなりすぎ、耐久性が低下するおそれがある。
【００２６】
なお、θ１〜θ３を上記のように設定すると、ヘッド１を鋳造するに際し、キャビティ部を形成するための中子を容易に脱型することができ、生産性に優れる。またキャビティ部の内面のフェース部側の面、底面１４、後面１３に囲まれたキャビティ部をより大きくする事もでき、ソール部の剛性を下げ、よりフェース部が撓む構造とする事ができる。
【００２７】
底面１４からソール面までの厚さが最も小さい部分のソール厚さは１．５〜５．０ｍｍ、特に２．０〜４．０ｍｍ程度が好ましい。
【００２８】
フェース部中央部におけるフェース部２の厚さをｔ１とし、高段部２ｃのトップ側におけるフェース部２の厚さをｔ２とし、前向き凹所においてフェース部２の厚さが最も小さい部分のフェース部２の厚さをｔ３とした場合、ｔ２≧ｔ１とすることにより、ヘッド上部の剛性を高くし、前向き凹所によるボールヒット時におけるフェース部２の撓み効果を大きくすることができる。
【００２９】
また、ｔ３／ｔ１は下限として０．５以上、好ましくは０．６以上である。ｔ３／ｔ１が０．５よりも小さいと、ヘッド１の耐久性が低下するおそれがある。上限としては、０．９以下、好ましくは０．８以下である。ｔ３／ｔ１が０．９よりも大きいと、ボールヒット時にフェース部２が十分に撓まないおそれがある。
【００３０】
ヘッド１の材料は、金属材料であれば特に制限はないが、フェース部２を構成する材料は、ステンレス鋼・軟鉄・チタン合金・ソフトステンレスなど、ヤング率７０〜２３０ＧＰａであることが好ましい。このヤング率が７０ＧＰａよりも小さいと、フェース部２の耐久性が低下するおそれがあり、２３０ＧＰａを超えるとボールヒット時におけるフェース部２の撓みが不十分となる場合がある。
【００３１】
このように構成されたアイアンヘッド１においては、ゴルフボールをヒットしたときにフェース部２の撓みが大きくなり、ボールの反発性が高くなり、ボールの初速が大きくなり、飛距離が増大する。また、このアイアンヘッド１は鋳造時に中子の脱型を容易に行うことができ、生産性に優れる。
【００３２】
上記実施の形態は本発明の一例であり、本発明は図示以外の形態とされてもよい。本発明はアイアンヘッドに近似した外観形状のアイアン型ユーティリティヘッドにも適用することができる。
【実施例】
【００３３】
以下の実施例１、比較例１のアイアンヘッドモデルを作成し、同条件にてコンピューターによる打撃シミュレーションを行った。打撃シミュレーションでは、これらのアイアンヘッドモデルをゴルフボールモデルにヘッドスピード４０ｍ／ｓで打撃した。その結果を表１に示す。
【００３４】
［実施例１］
図１〜３に示す構成のアイアンヘッドモデル（ロフト角２２°の４番アイアン）を作成した。ヘッドモデルのヤング率を２１０Ｍｐａに設定。ｔ１＝３．０ｍｍ、ｔ２＝４．０ｍｍ、ｔ３＝２．３ｍｍとした。θ２は２０°。θ３は２０°。θ１を６０°。凹曲面１５の曲率半径ｒ＝１．０ｍｍ、底面からソール面までの厚さが最も小さい部分のソール厚さは２．１ｍｍ。
【００３５】
［比較例１］
実施例１に対し前向き凹所を無くし、θ２＝０、ｔ３＝３．０ｍｍとしたこと以外は、実施例１と同じ構成のヘッドモデルを作成した。
【００３６】
【表１】
2015019746.tif 000003
【００３７】
表１の通り、本発明例によるとボール初速が大きくなることが認められた。
【符号の説明】
【００３８】
１  アイアンヘッド
２  フェース部
２ｆ  フェース面
３  ホゼル部
４  ソール部
５  キャビティ部
１２  前面
１３  後面
１４  底面
１５  凹曲面
【図１】
2015019746.tif 000004
【図２】
2015019746.tif 000005
【図３】
2015019746.tif 000006